【手続補正書】
【提出日】平成22年10月5日(2010.10.5)
【手続補正１】
【補正対象書類名】特許請求の範囲
【補正対象項目名】全文
【補正方法】変更
【補正の内容】
【特許請求の範囲】
【請求項１】
分岐ハイブリッドポリマーの調製方法であって、
（ａ）活性化ポリイミドから成る群から選択される少なくとも一つの成分であって、当該少なくとも一つの成分が少なくとも１個の付加重合性部分を有する成分と、
（ｂ）第１付加性モノマーと、第１付加性モノマーとは異なる一つ以上の第２付加性モノマーと、付加ポリマーとから成る群から選択される少なくとも一つの成分であって、当該少なくとも一つの成分が偏向照射により二量化が可能な光反応基を有する成分、
と反応させて調製し、
前記活性化ポリイミドは、下記式１、２又は４で表され、
成分（ａ）と成分（ｂ）は共有結合してコポリマーを形成していることを特徴とする分岐ハイブリッドポリマーの調製方法。
【化１】
2010031281.tif 000001
（式中、Ｍは４価の有機基であり、Ｑはフッ素、塩素、シアノ、アルキル、フルオロアルキル、アルコキシ、アルキルアミノ或いはジアリルアミノで任意的に置換された２価の有機基であり、Ｒ4及びＲ5は各々１価或いは２価の有機基であり、Ｒ1は各々１価の有機基であって、各々は重合性部分を含んでおり、Ｒ4、Ｒ5及びＲ1は、メタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、及びノルボルネンとその誘導体から成る群から独立して選択される少なくとも１種の有機基であり、ｎは３〜５０００である。Ｒ1、Ｍ及びＱは各々独立して単一の化学構造、或いは異なる化学構造の集合体を示し得る。）
【化２】
2010031281.tif 000002
（式中、Ｍ1は４価の有機基であり、Ｍ2は５価の有機基であり、Ｑ1はフッ素、塩素、シアノ、アルキル、フルオロアルキル、アルコキシ、アルキルアミノ或いはジアリルアミノで任意的に置換された２価の有機基であり、Ｑ2はフッ素、塩素、シアノ、アルキル、フルオロアルキル、アルコキシ、アルキルアミノ或いはジアリルアミノで任意的に置換された３価の有機基であり、Ｒ1及びＲ2は各々、重合性部分を含む１価の有機基であって、Ｒ1及びＲ2は、メタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、及びノルボルネンとその誘導体から成る群から独立して選択される少なくとも１種の有機基である。また、ｎ１は０〜５０００であり、ｎ２は０〜５０００であり、ｎ３は０〜５０００であって、ｎ２＋ｎ３＞０且つｎ１＋ｎ２＋ｎ３＝３〜５０００である。Ｒ1、Ｒ2、Ｍ1、Ｍ2、Ｑ1及びＱ2は各々独立して単一の化学構造、或いは異なる化学構造の集合体を示し得る。）
【請求項２】
成分（ａ）は、少なくとも１個の付加重合性部分を少なくとも一端に有する、請求項１に記載の分岐ハイブリッドポリマーの調製方法。
【請求項３】
成分（ａ）の少なくとも１個の付加重合性部分は、メタクリレートとその誘導体、アクリレートとその誘導体、メタクリルアミドとその誘導体、アクリルアミドとその誘導体、アリル化合物とその誘導体、ビニル化合物とその誘導体、スチレンとその誘導体、マレイミド或いは無水マレイン酸とその誘導体、及びノルボルネンとその誘導体から成る群から選択される少なくとも１種を含む、請求項２に記載の分岐ハイブリッドポリマーの調製方法。
【請求項４】
成分（ａ）の少なくとも１個の付加重合性部分は少なくとも１個のスチレンを含む、請求項２に記載の分岐ハイブリッドポリマーの調製方法。
【請求項５】
成分（ａ）の少なくとも１種は４−ビニルアニリンから調製される、請求項２に記載の分岐ハイブリッドポリマーの調製方法。
【請求項６】
成分（ｂ）は次の化合物
【化３】
2010031281.tif 000003
及び
【化４】
2010031281.tif 000004
を含む、請求項５に記載の分岐ハイブリッドポリマーの調製方法。
【請求項７】
成分（ａ）は少なくとも１個の付加重合性部分を側鎖として有する、請求項１に記載の分岐ハイブリッドポリマーの調製方法。
【請求項８】
成分（ａ）の少なくとも１個の付加重合性部分は、メタクリレートとその誘導体、アクリレートとその誘導体、メタクリルアミドとその誘導体、アクリルアミドとその誘導体、アリル化合物とその誘導体、ビニル化合物とその誘導体、スチレンとその誘導体、マレイミド或いは無水マレイン酸とその誘導体、及びノルボルネンとその誘導体から成る群から選択される少なくとも１種を含む、請求項７に記載の分岐ハイブリッドポリマーの調製方法。
【請求項９】
成分（ａ）の少なくとも１種は次の化合物
【化５】
2010031281.tif 000005
及び
【化６】
2010031281.tif 000006
から成る群から選択される少なくとも１成分から調製される、請求項７に記載の分岐ハイブリッドポリマーの調製方法。
【請求項１０】
付加重合性部分は少なくとも１個のアリル基を含む、請求項７に記載の分岐ハイブリッドポリマーの調製方法。
【請求項１１】
成分（ａ）の少なくとも１種は次の化合物
【化７】
2010031281.tif 000007
及び
【化８】
2010031281.tif 000008
から成る群から選択される少なくとも１成分から調製される、請求項７に記載の分岐ハイブリッドポリマーの調製方法。
【請求項１２】
成分（ｂ）の少なくとも１種は次の化合物
【化９】
2010031281.tif 000009
を含む、請求項１に記載の分岐ハイブリッドポリマーの調製方法。
【請求項１３】
成分（ｂ）の少なくとも１種は、Ｃ４〜Ｃ２４アルキル鎖、Ｃ４〜Ｃ２０フルオロアルキル鎖及び一部フッ化アルキル鎖から成る群から選択される少なくとも１種を含む、請求項１に記載の分岐ハイブリッドポリマーの調製方法。
【請求項１４】
成分（ｂ）の少なくとも１種は次の化合物
【化１０】
2010031281.tif 000010
【化１１】
2010031281.tif 000011
及び
【化１２】
2010031281.tif 000012
から成る群から選択される少なくとも１成分を含む、請求項１に記載の分岐ハイブリッドポリマーの調製方法。
【請求項１５】
成分（ａ）の少なくとも１種は次の化合物
【化１３】
2010031281.tif 000013
から調製され、成分（ｂ）の少なくとも１種は次の化合物
【化１４】
2010031281.tif 000014
及び
【化１５】
2010031281.tif 000015
を含む、請求項７に記載の分岐ハイブリッドポリマーの調製方法。
【請求項１６】
成分（ａ）の少なくとも１種は次の化合物
【化１６】
2010031281.tif 000016
から調製され、成分（ｂ）の少なくとも１種は次の化合物
【化１７】
2010031281.tif 000017
及び
【化１８】
2010031281.tif 000018
を含む、請求項７に記載の分岐ハイブリッドポリマーの調製方法。
【請求項１７】
成分（ａ）の少なくとも１種は次の化合物
【化１９】
2010031281.tif 000019
から調製され、成分（ｂ）の少なくとも１種は次の化合物
【化２０】
2010031281.tif 000020
及び
【化２１】
2010031281.tif 000021
を含む、請求項７に記載の分岐ハイブリッドポリマーの調製方法。
【請求項１８】
成分（ｂ）の少なくとも１種は、メタクリレートとその誘導体、アクリレートとその誘導体、メタクリルアミドとその誘導体、アクリルアミドとその誘導体、アリル化合物とその誘導体、ビニル化合物とその誘導体、スチレンとその誘導体、マレイミド或いは無水マレイン酸とその誘導体、及びノルボルネンとその誘導体から成る群から選択される少なくとも１種を含む成分から調製される、請求項１に記載の分岐ハイブリッドポリマーの調製方法。
【請求項１９】
成分（ｂ）の少なくとも１種は、シンナメートとその誘導体、カルコンとその誘導体、及びクマリンとその誘導体から成る群から選択される少なくとも１種を含む成分から調製される、請求項１に記載の分岐ハイブリッドポリマーの調製方法。
【請求項２０】
付加重合性部分は、末端エチレン構造−CH=CH2を含む、請求項１〜１９のいずれか１項に記載の分岐ハイブリッドポリマーの調製方法。
【請求項２１】
成分（ｂ）の少なくとも一種は、シンナメートとその誘導体、カルコンとその誘導体、及びクマリンとその誘導体から成る群から選択される少なくとも１種を含む成分から調製されることを特徴とする請求項２０に記載する分岐ハイブリッドポリマーの調整方法。
【手続補正２】
【補正対象書類名】明細書
【補正対象項目名】発明の名称
【補正方法】変更
【補正の内容】
【発明の名称】分岐ハイブリッドポリマーの調製方法
【手続補正３】
【補正対象書類名】明細書
【補正対象項目名】００１８
【補正方法】変更
【補正の内容】
【００１８】
本明細書において、「付加性モノマー」は、付加ポリマー或いはコポリマーの重合に用いる単反応基を持つモノマーユニットとして定義される。本明細書において「官能基含有付加ポリマー」とは、１以上の官能化末端基又は側鎖を有する付加オリゴマー、付加コポリマー又は付加ポリマーを意味する。この官能化部分としては、アミンやジアミン、酸無水物、酸二無水物、イソシアネート、酸クロリド等が挙げられるが、これらに限定されない。
【手続補正４】
【補正対象書類名】明細書
【補正対象項目名】００４４
【補正方法】変更
【補正の内容】
【００４４】
【化１】
2010031281.tif 000022
【手続補正５】
【補正対象書類名】明細書
【補正対象項目名】００４５
【補正方法】変更
【補正の内容】
【００４５】
式中、Ｍは４価の有機基であり、Ｑはフッ素、塩素、シアノ、アルキル、フルオロアルキル、アルコキシ、アルキルアミノ或いはジアリルアミノで任意的に置換された２価の有機基であり、Ｒ4及びＲ5は各々１価或いは２価の有機基であり、Ｒ1及びＲ2は各々１価の有機基であって、各々は重合性部分を含んでおり、Ｒ4、Ｒ5、Ｒ1及びＲ2は、メタクリレートとその誘導体、アクリレートとその誘導体、メタクリルアミドとその誘導体、アクリルアミドとその誘導体、アリル基とその誘導体、ビニル基とその誘導体、スチレンとその誘導体、マレイミド或いは無水マレイン酸とその誘導体、及びノルボルネンとその誘導体から成る群から独立して選択される少なくとも１種の有機基であり、Ｚは１価の有機基であり、ｎは３〜５０００である。Ｒ1、Ｒ2、Ｒ4、Ｒ5、Ｍ、Ｑ及びＺは各々独立して単一の化学構造、或いは異なる化学構造の集合体を示し得る。
【手続補正６】
【補正対象書類名】明細書
【補正対象項目名】００５３
【補正方法】変更
【補正の内容】
【００５３】
【化３】
2010031281.tif 000023
【手続補正７】
【補正対象書類名】明細書
【補正対象項目名】００５４
【補正方法】変更
【補正の内容】
【００５４】
式中、Ｍは４価の有機基であり、Ｑはフッ素、塩素、シアノ、アルキル、フルオロアルキル、アルコキシ、アルキルアミノ或いはジアリルアミノで任意的に置換された２価の有機基である。また、Ｗは３価の有機基であり、Ｘは２価の有機基であり、Ｙ3及びＹ4は各々付加ポリマーの繰り返し単位を示す２価の有機基であり、ｎは２〜５０００である。Ｍ、Ｗ、Ｘ、Ｑ、Ｙ3及びＹ4は各々独立して単一の化学構造、或いは異なる化学構造の集合体を示し得る。
【手続補正８】
【補正対象書類名】明細書
【補正対象項目名】００６０
【補正方法】変更
【補正の内容】
【００６０】
【化５】
2010031281.tif 000024
【手続補正９】
【補正対象書類名】明細書
【補正対象項目名】００６１
【補正方法】変更
【補正の内容】
【００６１】
式中、Ｍ1は４価の有機基であり、Ｍ2は５価の有機基であり、Ｑ1はフッ素、塩素、シアノ、アルキル、フルオロアルキル、アルコキシ、アルキルアミノ或いはジアリルアミノで任意的に置換された２価の有機基であり、Ｑ2はフッ素、塩素、シアノ、アルキル、フルオロアルキル、アルコキシ、アルキルアミノ或いはジアリルアミノで任意的に置換された３価の有機基である。また、Ｙ3及びＹ4は各々付加ポリマーの繰り返し単位を示す２価の有機基であり、ｎは２〜５０００である。Ｍ1、Ｍ2、Ｑ1、Ｑ2、Ｙ3及びＹ4は各々独立して単一の化学構造、或いは異なる化学構造の集合体を示し得る。